(57)【要約】【課題】帽子を被ったときの頭部の熱気を効率的に発散する。【解決手段】帽子の開口周縁部の内側に沿うように湾曲して取り付けられる帯状の装着部１１と、装着部１１の内側に沿うように湾曲する帯状の基部１２と、基部１２から上方に延設されるとともに頭皮の少なくとも一部に倣った形状に形成された冠部１３とを設け、さらに、装着部１１と基部１２との間にスペーサ１５，１６，１７を配置して通気用間隙Ｓを確保する。また、頭部冷却帽１０全体を薄い金属板で形成する。通気用間隙Ｓによって帽子と頭部との間の通気を促進し、また金属板によって放熱を促進する。【選択図】      図２
2004211220.tif 000002
【特許請求の範囲】
【請求項１】
帽子の内側に装着して使用する頭部冷却帽において、
帽子の開口周縁部の内側に沿うように湾曲して取り付けられる帯状の装着部と、
前記装着部の内側に沿うように湾曲する帯状の基部と、
前記基部から上方に延設されるとともに頭皮の少なくとも一部に倣った形状に形成された冠部と、
前記装着部と前記基部との間に通気用間隙を確保するスペーサと、を備える、
ことを特徴とする頭部冷却帽。
【請求項２】
前記冠部は、ほぼ上下方向にスリットを有する複数の短冊状部材を頭皮に倣って湾曲させることにより形成されている、
ことを特徴とする請求項１に記載の頭部冷却帽。
【請求項３】
前記通気用の間隙の幅は、前記装着部の湾曲方向に沿っての中央部が幅広に形成され、端部に向かうほど漸減する、
ことを特徴とする請求項１又は２に記載の頭部冷却帽。
【請求項４】
前記装着部に、帽子に取り付けるための取り付け孔を設けた、
ことを特徴とする請求項１ないし３のいずれか１項に記載の頭部冷却帽。
【請求項５】
前記短冊状部材の少なくとも一部に通気孔を形成した、
ことを特徴とする請求項２ないし４のいずれか１項に記載の頭部冷却帽。
【請求項６】
前記装着部と前記基部と前記冠部と前記スペーサとが金属板によって形成されている、
ことを特徴とする請求項１ないし５のいずれか１項に記載の頭部冷却帽。
【請求項７】
前記装着部と前記基部と前記冠部と前記スペーサとは、前記金属板を折曲し湾曲することによって形成されている、
ことを特徴とする請求項６に記載の頭部冷却帽。
【請求項８】
前記装着部と前記基部と前記冠部と前記スペーサとは、展開状態において一体に形成されている、
ことを特徴とする請求項７に記載の頭部冷却帽。
【発明の詳細な説明】
【０００１】
【発明の属する技術分野】
本発明は、頭部を冷却するために帽子の内側に装着されて使用される頭部冷却帽に関する。
【０００２】
【従来の技術】
暑い季節に帽子を長時間被っていると、帽子の内側と頭部との間に熱気がこもって頭部がむれてしまうことがあった。
【０００３】
これを防止するため、従来、帽子の内側に内側にメッシュを設けたり、帽子自体をメッシュで形成したり、防止に通気孔をあけたりしていた。
【０００４】
【発明が解決しようとする課題】
しかしながら、上述のメッシュや通気孔では、十分な通気を行うことができないため、頭部のむれを有効に防止することができない、という問題があった。
【０００５】
そこで、本発明は、帽子と頭部との間に積極的に通気用間隙を設け、もって上述の問題を解決するようにした頭部冷却帽を提供することを目的とするものである。
【０００６】
【課題を解決するための手段】
請求項１に係る発明は、帽子の内側に装着して使用する頭部冷却帽において、帽子の開口周縁部の内側に沿うように湾曲して取り付けられる帯状の装着部と、前記装着部の内側に沿うように湾曲する帯状の基部と、前記基部から上方に延設されるとともに頭皮の少なくとも一部に倣った形状に形成された冠部と、前記装着部と前記基部との間に通気用間隙を確保するスペーサと、を備える、ことを特徴とする。
【０００７】
請求項２に係る発明は、請求項１に記載の頭部冷却帽において、前記冠部は、ほぼ上下方向にスリットを有する複数の短冊状部材を頭皮に倣って湾曲させることにより形成されている、ことを特徴とする。
【０００８】
請求項３に係る発明は、請求項１又は２に記載の頭部冷却帽において、前記通気用の間隙の幅は、前記装着部の湾曲方向に沿っての中央部が幅広に形成され、端部に向かうほど漸減する、ことを特徴とする。
【０００９】
請求項４に係る発明は、請求項１ないし３のいずれか１項に記載の頭部冷却帽において、前記装着部に、帽子に取り付けるための取り付け孔を設けた、ことを特徴とする。
【００１０】
請求項５に係る発明は、請求項２ないし４のいずれか１項に記載の頭部冷却帽において、前記短冊状部材の少なくとも一部に通気孔を形成した、ことを特徴とする。
【００１１】
請求項６に係る発明は、請求項１ないし５のいずれか１項に記載の頭部冷却帽において、前記装着部と前記基部と前記冠部と前記スペーサとが金属板によって形成されている、ことを特徴とする。
【００１２】
請求項７に係る発明は、請求項６に記載の頭部冷却帽において、前記装着部と前記基部と前記冠部と前記スペーサとは、前記金属板を折曲し湾曲することによって形成されている、ことを特徴とする。
【００１３】
請求項８に係る発明は、請求項７に記載の頭部冷却帽において、前記装着部と前記基部と前記冠部と前記スペーサとは、展開状態において一体に形成されている、ことを特徴とする。
【００１４】
【発明の実施の形態】
以下、図面に沿って、本発明の実施の形態について説明する。図１〜図３は実施の形態１を、また図４〜図７は実施の形態２を示している。なお、各図面において、同一の符号を付したものは、同様の構成又は作用を有するものであり、これらについての重複説明は適宜省略するものとする。
【００１５】
＜実施の形態１＞
図１，図２，図３に本発明に係る頭部冷却帽の一例を示す。図１は一部破断斜視図、図２は上面図、図３は展開図である。なお、図３及び図６（実施の形態２）における実線は切断線、すなわち１枚の金属板から切り出す又は１枚の金属板から打ち抜く際に切断される部分を示している。また図３及び図６に限り、破線は、一般的なかくれ線ではなく、折曲する部分を示す線である。
【００１６】
これらの図に示すように、頭部冷却帽１０は、装着部１１と、基部１２と、冠部１３と、１５，１６，１７とを備えている。
【００１７】
まず、図３の展開図について説明する。
【００１８】
頭部冷却帽１０の材料としては、熱伝導率のよい薄い金属板を使用する。例えば、鉄板やアルミニウム板を使用することができるが、加工性に富み、軽いことを考慮すると、アルミニウム板が好適である。なお、以上の条件を満たすものであれば、アルミニウム板に限らず任意の金属板を使用することが可能である。
【００１９】
金属板を、図３に示す展開図のように切り出す（又は打ち抜く）。同図に示す実線はこのときに切断される部分を示している。また破線は切り出し後に折曲される部分を示している。破線のうち、基部１２の左右の両端近傍のかしめ部２０，２１の破線については、ほぼ１８０度折曲する部分を示しているが、他の破線は、ほぼ９０度折曲する部分を示すものである。基部１２の左右の両端近傍に設けたかしめ部１９には２本の破線が図示されているが、これは、それぞれで９０度折曲することで、２本の破線間に金属板の厚さに対応する幅を設けるためである。
【００２０】
同図において、装着部１１及び基部１２は横長の帯状に、また冠部１３は、縦長の短冊状部材１３ａ，１３ｂの集合として図示されている。さらに、スペーサ１５，１６，１７は、装着部１１と基部１２との間に位置している。これらスペーサ１５，１６，１７のうち、スペーサ１５は装着部１１及び基部１２と一体に形成されるのに対し、スペーサ１６，１７は基部１２とは一体であるが、装着部１１からは分離されている。
【００２１】
次に、上述の展開図を基に、図１，図２を参照して、頭部冷却帽１０の全体構成を説明する。
【００２２】
装着部１１は、帽子（不図示）の開口周縁部の内側に沿うように湾曲されている。本実施の形態では、装着部１１は、開口周縁部の全長に対してほぼその半分に対応するように形成されている。この装着部１１は、頭部冷却帽１０全体を帽子の内側に取り付けるためのものである。なお、取り付け方法としては、面ファスナーを使用したり、糸で縫いつけたりする等任意の方法を採用することができる。
【００２３】
装着部１１の背面側（裏面側：図２における上側）には、ほぼ同様に湾曲された基部１２がほぼ重なるように配置されている。基部１１の左右の両端部近傍のかしめ部１９，２０，２１を図１に示すように、装着部１１の前面側に折り返すことにより、基部１２に対して装着部１１を固定するようにしている。
【００２４】
このとき装着部１１と基部１２との間には、スペーサ１５，１６，１７が配置されることになり、これにより、装着部１１と基部１２との間に装着部１１との間に通気用間隙Ｓが形成される。スペーサ１５，１６，１７は、それぞれ水平部１５ａ，１６ａ，１７ａと、垂直部１５ｂ，１６ｂ，１７ｂとを有しており、この水平部１５ａ，１６ａ，１７ａの幅（図１０における上下方向の寸法）によって、通気用間隙Ｓの幅が規制される。すなわち、水平部１５ａ，１５ｂ，１５ｃの幅は、水平部１５ａが最も広く、水平部１５ｂが次に広く、水平部１５ｃが最も狭く設定されているので、通気用間隙Ｓの幅は、装着部１１の湾曲方向に沿っての中央部（スペーサ１５のある位置）が幅広に形成され、端部に向かうほど漸減するようになっている。
【００２５】
基部１２の上部には、複数の短冊状部材１３ａ，１３ｂが上方に向かって延設されている。このうち中央の短冊状部材１３ｂは左右方向の寸法が長く形成されている。本実施の形態では、展開状態における短冊状部材１３ａ，１３ｂの上下方向の寸法はいずれも同じに形成されている。
【００２６】
これら短冊状部材１３ａ，１３ｂはそれぞれが上下方向について、頭皮に倣った形状に湾曲され、さらにこれら短冊状部材１３ａ，１３ｂの基部が、上述のように湾曲された基部１２と一体に形成されているので、図１，図２に示すように、先端側が重なるようにして全体として、頭皮の一部に倣った冠部１３を構成している。
【００２７】
こうして形成された頭部冷却帽１０は、装着部１１を介して帽子の内側に取り付ける。
【００２８】
この状態で使用者が帽子を被ると、基部１２及び冠部１３が使用者の頭部に直接、接触することになる。したがって頭部と帽子との間には、上述の通気用間隙Ｓが確保され、また帽子と冠部１３との間にも間隙が形成される。これにより、通気が良好となり、頭部の熱気を有効に発散させることができる。
【００２９】
また、本実施の形態では、頭部冷却帽１０全体が薄い金属板で形成されていて、頭部冷却帽１０が放熱性に優れているので、このことによっても頭部の冷却が促進される。
【００３０】
また、同じく頭部冷却帽１０が薄い金属板によって形成されていて、簡単に塑性変形させることができるので、例えば、装着部１１や基部１２の湾曲の程度や、冠部１３の形状を簡単に調整することができる。このため、サイズの異なる種々の帽子や使用者の頭部に好適にフィットさせることができる。なお、上述したように、装着部１１は、中央のスペーサ１５以外では他の部分から切り離されているので、このことにより、装着部１１及び基部１２の湾曲の程度の調整を容易にしている。
【００３１】
＜実施の形態２＞
図４〜図７に、実施の形態２に係る頭部冷却帽３０を示す。なお、以下では上述の実施の形態１と異なる点を主に説明し、同様な点についての説明は適宜省略する。
【００３２】
これらの図に示すように、頭部冷却帽３０は、装着部３１、基部３２、冠部３３、スペーサ３５，３６，３７を備えている。
【００３３】
装着部３１及び基部３２は、図５に示すように、緩やかな円弧状に形成されている。これにより、使用者の頭部の形状に一層フィットするようになる。
【００３４】
装着部３１には複数の取り付け孔３１ａが形成されている。これは、頭部冷却帽３０を帽子に取り付ける際に、糸を通したり、ピン（例えば安全ピン）を通したりする際に使用するものである。
【００３５】
基部３２には、スペーサ３５，３６，３７が設けある。このうちスペーサ３５の水平部３５ａの中央には、透孔３５ｃが穿設されていて、通気の促進を図っている。また水平部３５ａにはフック３５ｂが突設されていて、図６，図７に示すように、帽子Ｃの日よけＣ２や帽子Ｈの縁Ｈ２を載せるのに使用される。スペーサ３６，３７には、水平部３６ａ，３７ａ、垂直部３６ｂ，３７ｂが形成されている。
【００３６】
基部３２の左右の両端部近傍には、かしめ部３０，３９，４１が形成されている。このうち、かしめ部３９，４１は、実施の形態１におけるかしめ部１９，２１に相当するものである。これに対して、かしめ部３０は、図６に示すように、帽子本体Ｃ１の表面側に折り返して取り付け用に使用したり、図７に示すように、縁Ｈ２を載せるのに使用したりする。
【００３７】
本実施の形態において冠部３３を構成する短冊状部材３３ａ，３３ｂのうち、中央の短冊状部材３３ｂは、図５に示すようにイチョウの葉のような形状に形成する。この短冊状部材３３ｂは、図６に示すように、頭部の形状に倣って湾曲させて使用することにより、フィット感を高めることができる。さらに、他の短冊状部材３３ａの下方に配置することにより、隣接する短冊状部材３３ａ，３３ａ間に頭髪が挟まることを有効に防止することができる。さらに、短冊状部材３３ｂには、通気を促進するための透孔３３ｃが穿設されている。
【００３８】
本実施の形態では、複数の短冊状部材３３ａのうち、中央に近いものについては、中央側のものほど長さが短くなるように形成して、短冊状部材３３ｂと重なる部分を省略している。短冊状部材３３ａには、必要に応じて通気孔（不図示）を設けるようにしてもよい。また、本実施の形態では、図５に示すように、短冊状部材３３ａは、相互に隣接して設けられているが、適度な間隔をおいて設けられるものであってもよい。
【００３９】
以上の実施の形態１，２においては、頭部冷却帽１０，３０は、図３，図６に示す展開図に基づいて金属板から切り出し、あるいは打ち抜い後、折曲及び湾曲によって形成するようにしたが、本発明はこれに限定されるものではない。すなわち、複数枚の金属板を折曲や湾曲によって形を整え、その後、かしめや接合によってこれらを組み合わせることで、全体を構成するようにしてもよい。
また、冠部１３、３３は頭皮の一部に倣うにとどまらず、頭皮の全体に倣うものであってもよい。
【００４０】
【発明の効果】
以上説明したように、本発明によると、帽子と頭部との間に通気用間隙を設けることにより、この通気用間隙を介して、帽子と頭部との間と、外部とを積極的に連通させることができるので、帽子と頭部との間に熱気がこもるのを有効に防止することができる。
【図面の簡単な説明】
【図１】実施の形態１の頭部冷却帽の一部破断斜視図である。
【図２】実施の形態１の頭部冷却帽の上面図である。
【図３】実施の形態１の頭部冷却帽の展開図である。
【図４】実施の形態２の頭部冷却帽の斜視図である。
【図５】実施の形態２の頭部冷却帽の展開図である。
【図６】実施の形態２の頭部冷却帽を野球帽に適用した例を示す斜視図である。
【図７】実施の形態２の頭部冷却帽を縁付き帽に適用した例を示す斜視図である。
【符号の説明】
１０，３０  頭部冷却帽
１１，３１  装着部
１２，３２  基部
１３，３３  冠部
１３ａ，１３ｂ，３３ａ，３３ｂ
短冊状部材
１５，１６，１７，３５，３６，３７
スペーサ
３１        取り付け孔
３３ｃ      通気孔
Ｓ          通気用間隙
【図１】
2004211220.tif 000003
【図２】
2004211220.tif 000004
【図３】
2004211220.tif 000005
【図４】
2004211220.tif 000006
【図５】
2004211220.tif 000007
【図６】
2004211220.tif 000008
【図７】
2004211220.tif 000009
【手続補正書】
【提出日】平成15年5月19日(2003.5.19)
【手続補正１】
【補正対象書類名】明細書
【補正対象項目名】特許請求の範囲
【補正方法】変更
【補正の内容】
【特許請求の範囲】
【請求項１】
帽子の内側に装着して使用する頭部冷却帽において、
帽子の開口周縁部の内側に沿うように湾曲して取り付けられる金属板製の帯状の装着部と、
前記装着部の内側に沿うように湾曲する金属板製の帯状の基部と、
前記基部から上方に延設されるとともにほぼ上下方向のスリットによって分割された複数の短冊状部材を頭皮に倣って湾曲させることにより形成される金属板製の冠部と、
前記装着部と前記基部との間に通気用間隙を確保する金属板製のスペーサと、を備える、
ことを特徴とする頭部冷却帽。
【請求項２】
前記通気用の間隙の幅は、前記装着部の湾曲方向に沿っての中央部が幅広に形成され、端部に向かうほど漸減する、
ことを特徴とする請求項１に記載の頭部冷却帽。
【請求項３】
前記装着部に、帽子に取り付けるための取り付け孔を設けた、
ことを特徴とする請求項１又は２に記載の頭部冷却帽。
【請求項４】
前記短冊状部材の少なくとも一部に通気孔を形成した、
ことを特徴とする請求項１ないし３のいずれか１項に記載の頭部冷却帽。
【請求項５】
前記装着部と前記基部と前記冠部と前記スペーサとは、金属板を折曲し湾曲することによって形成されている、
ことを特徴とする請求項１ないし４のいずれか１項に記載の頭部冷却帽。
【請求項６】
前記装着部と前記基部と前記冠部と前記スペーサとは、展開状態において一体に形成されている、
ことを特徴とする請求項５に記載の頭部冷却帽。
【手続補正２】
【補正対象書類名】明細書
【補正対象項目名】０００６
【補正方法】変更
【補正の内容】
【０００６】
【課題を解決するための手段】
請求項１に係る発明は、帽子の内側に装着して使用する頭部冷却帽において、帽子の開口周縁部の内側に沿うように湾曲して取り付けられる金属板製の帯状の装着部と、前記装着部の内側に沿うように湾曲する金属板製の帯状の基部と、前記基部から上方に延設されるとともにほぼ上下方向のスリットによって分割された複数の短冊状部材を頭皮に倣って湾曲させることにより形成される金属板製の冠部と、前記装着部と前記基部との間に通気用間隙を確保する金属板製のスペーサと、を備える、ことを特徴とする。


【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に係る発明は、請求項１に記載の頭部冷却帽において、前記通気用の間隙の幅は、前記装着部の湾曲方向に沿っての中央部が幅広に形成され、端部に向かうほど漸減する、ことを特徴とする。


【手続補正５】
【補正対象書類名】明細書
【補正対象項目名】０００９
【補正方法】変更
【補正の内容】
【０００９】
請求項３に係る発明は、請求項１又は２に記載の頭部冷却帽において、前記装着部に、帽子に取り付けるための取り付け孔を設けた、ことを特徴とする。


【手続補正６】
【補正対象書類名】明細書
【補正対象項目名】００１０
【補正方法】変更
【補正の内容】
【００１０】
請求項４に係る発明は、請求項１ないし３のいずれか１項に記載の頭部冷却帽において、前記短冊状部材の少なくとも一部に通気孔を形成した、ことを特徴とする。


【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項５に係る発明は、請求項１ないし４のいずれか１項に記載の頭部冷却帽において、前記装着部と前記基部と前記冠部と前記スペーサとは、金属板を折曲し湾曲することによって形成されている、ことを特徴とする。


【手続補正９】
【補正対象書類名】明細書
【補正対象項目名】００１３
【補正方法】変更
【補正の内容】
【００１３】
請求項６に係る発明は、請求項５に記載の頭部冷却帽において、前記装着部と前記基部と前記冠部と前記スペーサとは、展開状態において一体に形成されている、ことを特徴とする。